(57)【要約】【課題】入退出管理と併せて利用者の健康管理を行うことができる入退出管理システムを提供する。【解決手段】入退出管理システムに関し、施設１の出入口及び施設内の区画（エリア）の出入口に設けられた複数の認証端末により利用者の認証情報を読取ることで、利用者の施設及び区画に対する入退出管理を行う入退出管理システムにおいて、予め各認証端末間の端末間距離を記憶するとともに、認証端末を使用して利用者が施設１又は区画に対し入退出した通行履歴を記憶する記憶手段５と、記憶手段５の記憶する通行履歴及び端末間距離に基づいて利用者の所定期間内における移動距離を算出し、移動距離から利用者の所定期間内における消費カロリーを求める制御手段４と、制御手段４により求められた消費カロリーに関する情報を利用者に通知する通知手段と、を備えた構成とする。【選択図】図１
2011039631.tif 000002
【特許請求の範囲】
【請求項１】
施設の出入口及び前記施設内の区画の出入口に設けられた複数の認証端末により、利用者の認証情報を読取ることで、前記利用者の前記施設及び前記区画に対する入退出管理を行う入退出管理システムであって、
予め各前記認証端末間の端末間距離を記憶するとともに、前記認証端末を使用して前記利用者が前記施設又は前記区画に対し入退出した通行履歴を記憶する記憶手段と、
前記記憶手段の記憶する前記通行履歴及び前記端末間距離に基づいて前記利用者の所定期間内における移動距離を算出し、前記移動距離から前記利用者の前記所定期間内における消費カロリーを求める制御手段と、
前記制御手段により求められた前記消費カロリーに関する情報を前記利用者に通知する通知手段と、を備えたことを特徴とする入退出管理システム。
【請求項２】
前記制御手段は、ある一の前記認証端末を使用して前記利用者が前記施設又は前記区画に対し入室した際に、前記一の前記認証端末の使用する直前に前記利用者が使用した前記認証端末と、前記一の前記認証端末と、の間を前記利用者が移動したことを前記通行履歴として前記記憶手段に記憶させることを特徴とする請求項１に記載の入退出管理システム。
【請求項３】
前記制御手段は、前記利用者が前記施設の出入口の前記認証端末を使用して前記施設から退出する際に、前記利用者の前記移動距離及び前記消費カロリーを算出するとともに、前記通知手段により前記消費カロリーに関する情報を前記利用者に通知させることを特徴とする請求項１又は請求項２のいずれかに記載の入退出管理システム。
【請求項４】
前記制御手段は、前記所定期間内で初めて前記利用者が前記施設の出入口の前記認証端末を使用して前記施設に入ってからの前記移動距離及び前記消費カロリーの合計を算出することを特徴とする請求項３に記載の入退出管理システム。
【請求項５】
前記認証端末により、前記利用者の携帯する交通系カード兼ＩＤカードの認証情報を読取ることで、前記利用者の前記施設に対する入退出管理を行う入退出管理システムであって、
前記記憶手段は、予め前記施設の出入口の前記認証端末と前記交通系カード兼ＩＤカードが利用できる前記施設の最寄り駅の改札との間の施設駅間距離を記憶し、
前記制御手段は、前記交通系カード兼ＩＤカードに記録された前記改札の入退場記録及び前記記憶手段の記憶する前記施設駅間距離に基づいて前記利用者の移動距離及び移動時間を算出し、前記移動距離及び前記移動時間から前記利用者の消費カロリーを求めるとともに、前記記憶手段の記憶する前記通行履歴及び前記端末間距離に基づいて求めた前記消費カロリーとの合計を求め、
前記通知手段は、前記制御手段により求められた前記消費カロリーの合計に関する情報を前記利用者に通知することを特徴とする請求項１から請求項４のいずれかに記載の入退出管理システム。
【請求項６】
施設の出入口に設けられた認証端末により、利用者の携帯する交通系カード兼ＩＤカードの認証情報を読取ることで、前記利用者の前記施設に対する入退出管理を行う入退出管理システムであって、
予め前記施設の出入口の前記認証端末と、前記交通系カード兼ＩＤカードが利用できる前記施設の最寄り駅の改札と、の間の施設駅間距離を記憶する記憶手段と、
前記交通系カード兼ＩＤカードに記録された前記改札の入退場記録及び前記記憶手段の記憶する前記施設駅間距離に基づいて前記利用者の移動距離及び移動時間を算出し、前記移動距離及び前記移動時間から前記利用者の消費カロリーを求める制御手段と、
前記制御手段により求められた前記消費カロリーに関する情報を前記利用者に通知する通知手段と、を備えたことを特徴とする入退出管理システム。
【請求項７】
前記制御手段は、前記利用者が前記施設の出入口の前記認証端末を使用して前記施設に入る際に、前記利用者の前記移動距離及び前記移動時間並びに前記消費カロリーを算出するとともに、前記通知手段により前記消費カロリーに関する情報を前記利用者に通知させることを特徴とする請求項６に記載の入退出管理システム。
【発明の詳細な説明】
【技術分野】
【０００１】
この発明は、入退出管理システムに関するものである。
【背景技術】
【０００２】
従来における入退出管理システムにおいては、入退出を管理するだけではなく、勤怠管理を行うものや当該入退出管理システムの設置されている建物内の温度や電力等を検測し当該建物の適切な運営管理を行うものが一般に知られている。
【０００３】
また、セキュリティを強化するための各種機能を備えたものも知られており、例えば、同一人がある部屋に入室又はある部屋から退室することを禁止するアンチパスバックチェック機能を有するものとして、入室した人が何らかの事情により退室時にチェックを経ることなく退室してしまった場合に再入室ができなくなるという不具合を解消すべく、アンチパスバックチェック機能を有し、部屋の入口側と出口側に設けられたＩＤ判別装置としてのカードリーダでＩＤカードの照合結果ＯＫ時にはドアの電気錠を解錠して入退室が可能となる入退室管理システムにおいて、ある人がある部屋に所定時間以上在室している場合にアンチパスバックチェックのためのフラグをリセットするものが知られている（例えば、特許文献１参照）。
【先行技術文献】
【特許文献】
【０００４】
【特許文献１】特開平０２−２９４８９６号公報
【発明の概要】
【発明が解決しようとする課題】
【０００５】
このように、従来における入退出管理システムにおいては、入退出管理機能と併せて勤怠管理機能、建物の運営管理機能やセキュリティ向上のための機能を有するものが知られている。
しかしながら、特許文献１に示されたものを含む従来における入退出管理システムにおいては、利用者の健康管理については何ら考慮されておらず、入退出管理と併せて同時に利用者の健康管理を行うことはできないという課題がある。
【０００６】
この発明は、このような課題を解決するためになされたもので、入退出管理と併せて利用者の健康管理を行うことができる入退出管理システムを得るものである。
【課題を解決するための手段】
【０００７】
この発明に係る入退出管理システムにおいては、施設の出入口及び前記施設内の区画の出入口に設けられた複数の認証端末により、利用者の認証情報を読取ることで、前記利用者の前記施設及び前記区画に対する入退出管理を行う入退出管理システムであって、予め各前記認証端末間の端末間距離を記憶するとともに、前記認証端末を使用して前記利用者が前記施設又は前記区画に対し入退出した通行履歴を記憶する記憶手段と、前記記憶手段の記憶する前記通行履歴及び前記端末間距離に基づいて前記利用者の所定期間内における移動距離を算出し、前記移動距離から前記利用者の前記所定期間内における消費カロリーを求める制御手段と、前記制御手段により求められた前記消費カロリーに関する情報を前記利用者に通知する通知手段と、を備えた構成とする。
【０００８】
また、施設の出入口に設けられた認証端末により、利用者の携帯する交通系カード兼ＩＤカードの認証情報を読取ることで、前記利用者の前記施設に対する入退出管理を行う入退出管理システムであって、予め前記施設の出入口の前記認証端末と、前記交通系カード兼ＩＤカードが利用できる前記施設の最寄り駅の改札と、の間の施設駅間距離を記憶する記憶手段と、前記交通系カード兼ＩＤカードに記録された前記改札の入退場記録及び前記記憶手段の記憶する前記施設駅間距離に基づいて前記利用者の移動距離及び移動時間を算出し、前記移動距離及び前記移動時間から前記利用者の消費カロリーを求める制御手段と、前記制御手段により求められた前記消費カロリーに関する情報を前記利用者に通知する通知手段と、を備えたことを特徴とする入退出管理システム。
【発明の効果】
【０００９】
この発明に係る入退出管理システムにおいては、入退出管理と併せて利用者の健康管理を行うことができる。
【図面の簡単な説明】
【００１０】
【図１】この発明の実施の形態１及び実施の形態２に係る入退出管理システムの全体構成を示す説明図である。
【図２】この発明の実施の形態１に係る入退出管理システムの動作の流れを示すフロー図である。
【図３】この発明の実施の形態２に係る入退出管理システムの動作の流れを示すフロー図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１及び図２は、この発明の実施の形態１に係るもので、図１は入退出管理システムの全体構成を示す説明図、図２は入退出管理システムの動作の流れを示すフロー図である。
図において１は当該入退出管理システムが設置された工場やオフィス等の施設である。この施設１内には、仕切られており入退出制限の課されたいくつかのエリア（区画）が設けられている。ここでは、施設１内には、例えばエリアＡ〜Ｄの４つの入退室制限の課されたエリア（区画）が仕切られているとする。
【００１３】
これらのエリアＡ〜Ｄに設けられた出入口の入口側（すなわち外側）の近傍には、利用者が携帯する社員証やセキュリティ用カード等のＩＤカードの記録内容である認証情報を読取るための入室用カードリーダ（認証端末）が設置されている。すなわち具体的には、エリアＡ出入口の入口側の近傍にエリアＡ入室用カードリーダ２ａが、エリアＢ出入口の入口側の近傍にエリアＢ入室用カードリーダ２ｂが、エリアＣ出入口の入口側の近傍にエリアＣ入室用カードリーダ２ｃが、そして、エリアＤ出入口の入口側の近傍にエリアＤ入室用カードリーダ２ｄが、それぞれ設けられている。
【００１４】
また、これらのエリアＡ〜Ｄの出入口の出口側（すなわち内側）の近傍には、入口側と同様、ＩＤカードの記録内容（認証情報）を読取るための退室用カードリーダ（認証端末）が設置されている。すなわち具体的には、エリアＡ出入口の出口側の近傍にエリアＡ退室用カードリーダ３ａが、エリアＢ出入口の出口側の近傍にエリアＢ退室用カードリーダ３ｂが、エリアＣ出入口の出口側の近傍にエリアＣ退室用カードリーダ３ｃが、そして、エリアＤ出入口の出口側の近傍にエリアＤ退室用カードリーダ３ｄが、それぞれ設けられている。
【００１５】
さらに、施設１の出入口の近傍にも、エリアＡ〜Ｄと同様にＩＤカードの記録内容（認証情報）を読取るため、施設１の入口側（すなわち外側）に施設入室用カードリーダ２ｅが、施設１の出口側（すなわち内側）に施設退室用カードリーダ３ｅが、それぞれ設けられている。
【００１６】
エリアＡ〜Ｄ及び施設１の出入口には、図示しない扉がそれぞれ開閉自在に設けられている。これらの扉は平時において図示しない電気錠により施錠され、各エリア毎及び施設１に対して通行権限を持たない利用者が当該エリア及び施設１に入退出することを物理的に阻止している。
そして、これらの入室用カードリーダ２ａ〜２ｅ及び退室用カードリーダ３ａ〜３ｅや電気錠の認証時等における各種動作は、制御手段であるコントローラ４により制御されている。そして、このコントローラ４には、利用者毎の各エリア及び施設１に対する通行権限並びに通行履歴等を記憶する記憶手段であるデータベース５が備えられている。
【００１７】
ＩＤカードにはこれを携帯する利用者を識別するため、各利用者毎に固有のＩＤが記録されており、利用者が自身の携帯するＩＤカードを入室用カードリーダ２ａ〜２ｅや退室用カードリーダ３ａ〜３ｅにかざす等の操作をして、当該ＩＤカードに記録されたＩＤを読取らせると、コントローラ４により、読取られた当該ＩＤとデータベース５に記憶された通行権限との照合による認証が行われる。
【００１８】
この認証において、認証ＯＫとなると、コントローラ４による制御の下、利用者がＩＤカードを使用して操作したカードリーダに対応する電気錠が解錠され利用者は目的とするエリアや施設１への入退出が可能となる一方、認証ＮＧである場合には、当該電気錠の施錠状態は維持され入退出が阻止される。
そして、ここで操作されたカードリーダに関する情報や認証結果は、通行履歴としてデータベース５に記憶される。
なお、この場合におけるＩＤカードの記録内容の読取方式としては、接触型及び非接触型のいずれも用いることができる。
【００１９】
データベース５には、図１中、実線の双方向矢印で示される各カードリーダ（認証端末）間の距離（端末間距離）が予め記憶されている。
なお、ここでは、同一エリアの入室用カードリーダ及び退室用カードリーダは同一の出入口の近傍に設けられることから、これらはほぼ同一の場所にあるとみなせる。この事情は施設入室用カードリーダ２ｅ及び施設退室用カードリーダ３ｅにおいても同様である。従って、データベース５に予め記憶しておくべき各カードリーダ間の距離は、例えば、エリアＡ〜Ｄの入室用カードリーダ、すなわち、エリアＡ入室用カードリーダ２ａ、エリアＢ入室用カードリーダ２ｂ、エリアＣ入室用カードリーダ２ｃ及びエリアＤ入室用カードリーダ２ｄ並びに施設退室用カードリーダ３ｅの間の各距離ということになる。
【００２０】
コントローラ４は、あるＩＤを持つ利用者の所定期間内の通行履歴及び各カードリーダ間の距離をデータベース５から取得し、これらの通行履歴及びカードリーダ間距離に基づいて当該利用者の前記所定期間内の移動距離の合計を算出し、さらに、この算出した移動距離を所定の換算式でもって、当該利用者の前記所定期間内の消費カロリーに換算する。この前記所定期間としては、ここでは例えば１日間（２４時間）とし、毎日深夜２４時に移動距離及び消費カロリーの合計がリセットされる。
この前記所定期間内に、当該利用者が施設１への入退出を複数回繰返すような場合には、退出時において、前記所定期間内で初めて当該利用者が施設入室用カードリーダ２ｅを操作して施設１に入ってからの移動距離及び消費カロリーの合計が算出され、後述する通知手段により当該利用者に通知される。
【００２１】
そして、コントローラ４には、こうして算出された消費カロリーを当該利用者に通知するための通知機能が備えられている。
施設退室用カードリーダ３ｅには、液晶画面やスピーカ等のガイダンス機能（図示せず）が設けられており、コントローラ４の通知機能による指令の下、算出された消費カロリーを液晶画面に表示することで、かつ／又は、スピーカから音声で、当該利用者へと消費カロリーを通知する。
【００２２】
また、コントローラ４の通知機能は、予め登録した所定のメールアドレス（例えば当該利用者の携帯電話のメールアドレス等）へと算出された消費カロリーを記載した電子メールを送信することにより、当該利用者へと消費カロリーを通知する。
さらにまた、コントローラ４の通知機能は、施設１内や当該利用者の自宅等にある図示しないパソコン（パーソナルコンピュータ）に消費カロリーを表示することにより、当該利用者へと消費カロリーを通知する。
【００２３】
そして、コントローラ４の通知機能及び施設退室用カードリーダ３ｅのガイダンス機能は、当該利用者へと消費カロリーを通知する通知手段を構成している。
なお、以上述べたこの通知手段による３つの通知方法については、これらのうちいずれか１つを用いるようにしてもよいし、これらのうちの任意の２つ又はこれら３つ全部を組合わせて用いるようにしてもよい。
【００２４】
この実施の形態にあっては、入退出管理システムは、図２に示す一連のフローに従って動作する。
まず、データベース５には、各カードリーダ間の距離が予め入力され、記憶されている状態になっている（ステップＳ１）。そして、利用者が携帯するＩＤカードを使用して施設入室用カードリーダ２ｅを操作（ＩＤカードをカードリーダにかざす等、以下同じ）し、認証ＯＫとなると、当該利用者は施設１へと入ることが可能となる（ステップＳ２）。この際、コントローラ４は、データベース５に施設入室用カードリーダ２ｅを操作して施設１に入ったことを当該利用者の通行履歴として記録する。
【００２５】
ステップＳ３においては、当該利用者がエリアＡ入室用カードリーダ２ａを操作して認証ＯＫとなり、エリアＡへと入室したか否かがコントローラ４により確認される。
この確認において、認証ＯＫとなり当該利用者がエリアＡへと入室したことが確認された場合にはステップＳ４へと移り、コントローラ４は、このエリアＡ入室用カードリーダ２ａが操作される直前に操作されたカードリーダと、このエリアＡ入室用カードリーダ２ａと、の間を移動したことを当該利用者の通行履歴としてデータベース５に記録する。
そして、当該利用者がエリアＡ退室用カードリーダ３ａを操作して認証ＯＫとなりエリアＡから退室すると、コントローラ４は、データベース５にエリアＡ退室用カードリーダ３ａを操作してエリアＡを退室したことを当該利用者の通行履歴として記録する（ステップＳ５）。その後、動作フローはステップＳ２へと戻る。
【００２６】
一方、ステップＳ３の確認において当該利用者がエリアＡへと入室したことが確認されない場合には、エリアＡについて行われたステップＳ３からステップＳ５の入室確認及び動作を、エリアＢ〜Ｄについても同様に順次行っていく。
【００２７】
すなわち、ステップＳ３の確認において当該利用者がエリアＡへと入室したことが確認されない場合にはステップＳ６へと移行し、当該利用者がエリアＢ入室用カードリーダ２ｂを操作して認証ＯＫとなり、エリアＢへと入室したか否かがコントローラ４により確認される。
この確認において、認証ＯＫとなり当該利用者がエリアＢへと入室したことが確認された場合にはステップＳ７へと移り、コントローラ４は、このエリアＢ入室用カードリーダ２ｂが操作される直前に操作されたカードリーダと、このエリアＢ入室用カードリーダ２ｂと、の間を移動したことを当該利用者の通行履歴としてデータベース５に記録する。
そして、当該利用者がエリアＢ退室用カードリーダ３ｂを操作して認証ＯＫとなりエリアＢから退室すると、コントローラ４は、データベース５にエリアＢ退室用カードリーダ３ｂを操作してエリアＢを退室したことを当該利用者の通行履歴として記録する（ステップＳ８）。その後、動作フローはステップＳ２へと戻る。
【００２８】
ステップＳ６の確認において当該利用者がエリアＢへと入室したことが確認されない場合にはステップＳ９へと移行し、当該利用者がエリアＣ入室用カードリーダ２ｃを操作して認証ＯＫとなり、エリアＣへと入室したか否かがコントローラ４により確認される。
この確認において、認証ＯＫとなり当該利用者がエリアＣへと入室したことが確認された場合にはステップＳ１０へと移り、コントローラ４は、このエリアＣ入室用カードリーダ２ｃが操作される直前に操作されたカードリーダと、このエリアＣ入室用カードリーダ２ｃと、の間を移動したことを当該利用者の通行履歴としてデータベース５に記録する。
そして、当該利用者がエリアＣ退室用カードリーダ３ｃを操作して認証ＯＫとなりエリアＣから退室すると、コントローラ４は、データベース５にエリアＣ退室用カードリーダ３ｃを操作してエリアＣを退室したことを当該利用者の通行履歴として記録する（ステップＳ１１）。その後、動作フローはステップＳ２へと戻る。
【００２９】
ステップＳ９の確認において当該利用者がエリアＣへと入室したことが確認されない場合にはステップＳ１２へと移行し、当該利用者がエリアＤ入室用カードリーダ２ｄを操作して認証ＯＫとなり、エリアＤへと入室したか否かがコントローラ４により確認される。
この確認において、認証ＯＫとなり当該利用者がエリアＤへと入室したことが確認された場合にはステップＳ１３へと移り、コントローラ４は、このエリアＤ入室用カードリーダ２ｄが操作される直前に操作されたカードリーダと、このエリアＤ入室用カードリーダ２ｄと、の間を移動したことを当該利用者の通行履歴としてデータベース５に記録する。
そして、当該利用者がエリアＤ退室用カードリーダ３ｄを操作して認証ＯＫとなりエリアＤから退室すると、コントローラ４は、データベース５にエリアＤ退室用カードリーダ３ｄを操作してエリアＤを退室したことを当該利用者の通行履歴として記録する（ステップＳ１４）。その後、動作フローはステップＳ２へと戻る。
【００３０】
ステップＳ１２の確認において当該利用者がエリアＤへと入室したことが確認されない場合には、当該利用者はエリアＡ〜Ｄのいずれにも入室しようとしていないと判断されることから、動作フローはステップＳ１５へと進む。
そして、このステップＳ１５において、当該利用者が、携帯するＩＤカードを使用して施設退室用カードリーダ３ｅを操作し、認証ＯＫとなると、当該利用者は施設１から退出することが可能となる。
【００３１】
この際、コントローラ４は、データベース５に施設退室用カードリーダ３ｅを操作して施設１から退出することを当該利用者の通行履歴として記録する。
そして、ステップＳ１６において、コントローラ４は、データベース５から記録された当該利用者の通行履歴を取得し、所定期間内における当該利用者の移動距離をデータベース５に予め記憶されている各カードリーダ間の距離を用いて算出する。
【００３２】
続くステップＳ１７において、ステップＳ１６で算出した移動距離を所定の換算式でもって、当該利用者の前記所定期間内の消費カロリーに換算する。
そして、ステップＳ１８からステップＳ２０は、当該入退室管理システムの有する通知手段によりステップＳ１７で算出された消費カロリーを当該利用者へと通知する動作である。なお、これらステップＳ１８からステップＳ２０の動作については、これらのうちいずれか１つのステップを行うようにしてもよいし、これらのうちの任意の２つ又はこれら３つ全部のステップを組合わせて行うようにしてもよい。
【００３３】
ステップＳ１８においては、施設退室用カードリーダ３ｅのガイダンス機能により、コントローラ４の通知機能による指令の下、算出された消費カロリーを液晶画面に表示することで、かつ／又は、スピーカから音声で、当該利用者へと消費カロリーを通知する。
ステップＳ１９においては、コントローラ４の通知機能により、所定のメールアドレスへと算出された消費カロリーを記載した電子メールを送信することにより、当該利用者へと消費カロリーを通知する。
ステップＳ２０においては、コントローラ４の通知機能により、施設１内や当該利用者の自宅等にあるパソコンに消費カロリーを表示することにより、当該利用者へと消費カロリーを通知する。
そして、これらのステップＳ１８からステップＳ２０による通知動作の完了後は、ステップＳ２１へと至り一連の動作フローは終了する。
【００３４】
なお、ここでは、利用者の識別及び通行権限の認証にＩＤカード及びカードリーダを用いたが、これ以外にも例えば指紋や虹彩等のバイオメトリクスによる生体認証を用いることもできる。この場合を含め、施設及び各エリアの出入口にはＩＤカードや指紋等の認証情報の読取りを行う認証端末を設置すればよい。
また、図１中の駅Ａの改札６ａ、駅Ｂの改札６ｂ及び駅Ｃの改札６ｃは、後述する実施の形態２において必要な構成であり、以上説明した実施の形態１においては必要のないものである。これらについては、次の実施の形態２において詳述する。
【００３５】
以上のように構成された入退出管理システムにおいては、施設の出入口及び施設内の区画（エリア）の出入口に設けられた複数の認証端末（カードリーダ）により、利用者の認証情報を読取ることで、利用者の施設及び区画に対する入退出管理を行う入退出管理システムにおいて、記憶手段であるデータベースにより、予め各認証端末間の端末間距離を記憶するとともに、認証端末を使用して利用者が施設又は区画に対し入退出した通行履歴を記憶し、制御手段であるコントローラにより、記憶手段の記憶する通行履歴及び端末間距離に基づいて利用者の所定期間内における移動距離を算出するとともに移動距離から利用者の所定期間内における消費カロリーを求め、通知手段により、制御手段で求めた消費カロリーに関する情報を利用者に通知することで、入退出管理と併せて利用者の消費カロリーを算出し健康管理を行うことができる。
【００３６】
また、制御手段により、所定期間内（例えば１日間）で初めて利用者が施設の出入口の認証端末（施設入室用カードリーダ）を使用して施設に入ってからの移動距離及び消費カロリーの合計を算出することで、特に所定期間内に複数回施設を出入りする際に利用者は一々自身で消費カロリーの合計を計算することなく、所定期間内の消費カロリーを知ることができ便宜である。
【００３７】
実施の形態２．
図１及び図３は、この発明の実施の形態２に係るもので、図１は入退出管理システムの全体構成を示す説明図、図３は入退出管理システムの動作の流れを示すフロー図である。
前述した実施の形態１は、工場やオフィス等の施設内において、各エリアに対するＩＤカードによる入退出管理とともに利用者の移動距離及び消費カロリーの算出を行うものであったが、ここで説明する実施の形態２は、鉄道等の乗車時に用いる定期券やプリペイドカード等の機能を持つ交通系カードを、社員証やセキュリティ用カード等のＩＤカードとして兼用している場合に、交通系カードの使用履歴を元に例えば鉄道の乗換え時における駅同士の間の移動距離・移動時間や、工場やオフィス等の施設と最寄り駅との間の移動距離・移動時間を算出し、この移動距離・移動時間に基づく消費カロリーの算出を入退室管理とともに行うようにしたものである。
【００３８】
すなわち、工場やオフィス等である施設１の利用者が携帯する社員証やセキュリティ用カード等のＩＤカードは、鉄道等の乗車時に用いる定期券やプリペイドカード等の機能を持つ交通系カードと兼用となっている。
図１中の駅Ａ、駅Ｂ及び駅Ｃは施設１の最寄り駅であり、これらの駅Ａ、駅Ｂ及び駅Ｃの駅改札口には、駅Ａの改札６ａ、駅Ｂの改札６ｂ及び駅Ｃの改札６ｃがそれぞれ設けられている。
【００３９】
そして、駅を利用する利用者が交通系カード兼ＩＤカードを使用してこれらの駅Ａの改札６ａ、駅Ｂの改札６ｂ又は駅Ｃの改札６ｃを操作する（例えばカードを改札機にタッチする等）と、入退場記録が行われ、すなわち、入退場した駅名及び入退場時刻が交通系カード兼ＩＤカードに記録されるとともに、必要に応じ運賃清算処理等が行われる。
【００４０】
コントローラ４のデータベース５には、図１中、破線の双方向矢印で示される各駅の改札６ａ〜６ｃ間の距離及び施設入室用カードリーダ２ｅと各駅の改札６ａ〜６ｃとの間の距離（施設駅間距離）が予め記憶されている。
コントローラ４は、交通系カード兼ＩＤカードに記録された駅改札の入退場記録並びに各駅の改札６ａ〜６ｃ間の距離及び施設入室用カードリーダ２ｅと各駅の改札６ａ〜６ｃとの間の距離（施設駅間距離）をデータベース５から取得し、これらの入退場記録及び距離に基づいて所定期間内における当該利用者の移動距離及び移動時間を算出する。そして、この算出した移動距離及び移動時間を所定の換算式でもって当該利用者の前記所定期間内の消費カロリーに換算する。
【００４１】
ここで、このコントローラ４による各駅間及び各駅と施設１間における移動距離及び移動時間並びに消費カロリーの算出は、当該利用者が施設入室用カードリーダ２ｅを操作して施設１に入る時に行われ、この際、当該利用者の移動時間を求めるため、施設入室用カードリーダ２ｅが操作された時刻を取得する機能が施設入室用カードリーダ２ｅ又はコントローラ４に備えられている。
【００４２】
そして、液晶画面やスピーカ等のガイダンス機能は、実施の形態１とは異なり施設入室用カードリーダ２ｅに設けられており、このガイダンス機能により、コントローラ４の通知機能による指令の下、算出された消費カロリーを液晶画面に表示することで、かつ／又は、スピーカから音声で、当該利用者へと消費カロリーを通知する。
なお、以上説明した以外の他の構成については実施の形態１と同様である。
【００４３】
この実施の形態にあっては、入退出管理システムは、図３に示す一連のフローに従って動作する。
まず、当該入退場システムにおいて、鉄道等の乗車時に用いる定期券やプリペイドカード等の機能を持つ交通系カードを、社員証やセキュリティ用カード等のＩＤカードとして兼用していないには一連の動作フローは終了する（ステップＳ３１及びステップＳ３２）。
一方、交通系カードをＩＤカードとして兼用している場合には、データベース５に、各駅の改札６ａ〜６ｃ間の距離及び各駅の改札６ａ〜６ｃと施設入室用カードリーダ２ｅとの間の距離を予め入力しておき、これらが記憶された状態としておく（ステップＳ３１から移行したステップＳ３３）。
【００４４】
利用者が携帯する交通系カード兼ＩＤカードを駅Ａの改札６ａにおいて使用すると、ステップＳ３４からステップＳ３５へと進み、当該交通系カード兼ＩＤカードに、入退場記録として駅Ａの改札６ａを通過したこと及び通過時刻が記録される。
そして、続くステップＳ３６において、利用者が携帯する交通系カード兼ＩＤカードを使用して施設入室用カードリーダ２ｅを操作した否かについて確認され、利用者が携帯する交通系カード兼ＩＤカードを使用して施設入室用カードリーダ２ｅを操作していない場合には、ステップＳ３４へと戻る。
【００４５】
一方、ステップＳ３４において、利用者が携帯する交通系カード兼ＩＤカードを駅Ａの改札６ａにおいて使用しない場合には、駅Ａの改札６ａについて行われたステップＳ３４からステップＳ３６の動作を、駅Ｂの改札６ｂ及び駅Ｃの改札６ｃについても同様に順次行っていく。
【００４６】
すなわち、利用者が携帯する交通系カード兼ＩＤカードを駅Ａの改札６ａにおいて使用しない場合において、利用者が携帯する交通系カード兼ＩＤカードを駅Ｂの改札６ｂにおいて使用すると、ステップＳ３７からステップＳ３８へと進み、当該交通系カード兼ＩＤカードに、入退場記録として駅Ｂの改札６ｂを通過したこと及び通過時刻が記録される。
そして、続くステップＳ３９において、利用者が携帯する交通系カード兼ＩＤカードを使用して施設入室用カードリーダ２ｅを操作した否かについて確認され、利用者が携帯する交通系カード兼ＩＤカードを使用して施設入室用カードリーダ２ｅを操作していない場合には、ステップＳ３４へと戻る。
【００４７】
また、利用者が携帯する交通系カード兼ＩＤカードを駅Ａの改札６ａ及び駅Ｂの改札６ｂのいずれにおいても使用しない場合において、利用者が携帯する交通系カード兼ＩＤカードを駅Ｃの改札６ｃにおいて使用すると、ステップＳ４０からステップＳ４１へと進み、当該交通系カード兼ＩＤカードに、入退場記録として駅Ｃの改札６ｃを通過したこと及び通過時刻が記録される。
そして、続くステップＳ４２において、利用者が携帯する交通系カード兼ＩＤカードを使用して施設入室用カードリーダ２ｅを操作した否かについて確認され、利用者が携帯する交通系カード兼ＩＤカードを使用して施設入室用カードリーダ２ｅを操作していない場合には、ステップＳ３４へと戻る。
【００４８】
なお、利用者が携帯する交通系カード兼ＩＤカードを駅Ａの改札６ａ、駅Ｂの改札６ｂ及び駅Ｃの改札６ｃのいずれにおいても使用しない場合には、ステップＳ４０からステップＳ４３へと至り一連の動作フローは終了する。
一方、先のステップＳ３６、ステップＳ３９及びステップＳ４２において、利用者が携帯する交通系カード兼ＩＤカードを使用して施設入室用カードリーダ２ｅを操作した場合には、ステップＳ４４へと移行する。
【００４９】
このステップＳ４４においては、まず、利用者が携帯する交通系カード兼ＩＤカードを使用して施設入室用カードリーダ２ｅを操作した際に、施設入室用カードリーダ２ｅが当該交通系カード兼ＩＤカードに記録されている利用した駅のデータすなわち駅改札の入退場記録を読取り、コントローラ４へと送信する。
次に、コントローラ４は、施設入室用カードリーダ２ｅから送信された駅改札の入退場記録を受けて、各駅の改札６ａ〜６ｃ間の距離及び各駅の改札６ａ〜６ｃと施設入室用カードリーダ２ｅとの間の距離をデータベース５から取得し、入退場記録及びデータベース５から取得した距離情報を用いて施設１に入室するまでの当該利用者の移動距離を算出する。
【００５０】
そして、ステップＳ４５へと移り、コントローラ４は、入退場記録から当該利用者が改札を最初に通過した時刻を求めるとともに、ステップＳ３６、ステップＳ３９又はステップＳ４２において当該利用者が施設入室用カードリーダ２ｅを操作した時刻を求め、これらの時刻から、当該利用者が改札を最初に通過してから施設入室用カードリーダ２ｅを操作するまでの時間（移動時間）を算出する。
【００５１】
続くステップＳ４６においては、ステップＳ４４で算出した移動距離及びステップＳ４５で算出した移動距離を所定の換算式でもって、当該利用者の消費カロリーに換算する。
そして、ステップＳ４７からステップＳ４９は、当該入退室管理システムの有する通知手段によりステップＳ４６で算出された消費カロリーを当該利用者へと通知する動作である。なお、これらステップＳ４７からステップＳ４９の動作については、これらのうちいずれか１つのステップを行うようにしてもよいし、これらのうちの任意の２つ又はこれら３つ全部のステップを組合わせて行うようにしてもよい。
【００５２】
ステップＳ４７においては、施設入室用カードリーダ２ｅのガイダンス機能により、コントローラ４の通知機能による指令の下、算出された消費カロリーを液晶画面に表示することで、かつ／又は、スピーカから音声で、当該利用者へと消費カロリーを通知する。
ステップＳ４８においては、コントローラ４の通知機能により、所定のメールアドレスへと算出された消費カロリーを記載した電子メールを送信することにより、当該利用者へと消費カロリーを通知する。
ステップＳ４９においては、コントローラ４の通知機能により、施設１内や当該利用者の自宅等にあるパソコンに消費カロリーを表示することにより、当該利用者へと消費カロリーを通知する。
そして、これらのステップＳ４７からステップＳ４９による通知動作の完了後は、ステップＳ５０へと至り一連の動作フローは終了する。
【００５３】
なお、ここで説明した実施の形態２においては、施設と駅間又は駅同士間の移動における消費カロリーを算出するため、施設と駅間又は駅同士間における移動距離・移動時間及び消費カロリーの算出を利用者が施設へと入る際に行うとともに、施設入室用カードリーダのガイダンス機能等を用いて利用者への消費カロリーの通知を施設に入る際に行うようにした。
【００５４】
しかし、先に説明した実施の形態１とここで説明した実施の形態２を組合わせて用いることも当然可能であり、すなわち、工場やオフィス等の施設内における利用者の移動距離及び消費カロリーの算出（実施の形態１）とともに施設と駅間又は駅同士間における移動距離・移動時間及び消費カロリーの算出（実施の形態２）を行うようにしてもよい。
【００５５】
そして、この場合においては、駅から移動して施設内に入る際に利用者への消費カロリーの通知は行わずに、その後さらに利用者が施設内を移動し、最終的に施設から退出する際に、施設と駅間又は駅同士間の移動による消費カロリーと施設内の移動による消費カロリーの合計を利用者に通知するようにしてもよい。
従って、この場合においては、液晶画面やスピーカ等のガイダンス機能は、実施の形態１と同じく施設退室用カードリーダに設けられる。
【００５６】
以上のように構成された入退出管理システムにおいては、施設の出入口に設けられた認証端末（カードリーダ）により、利用者の携帯する交通系カード兼ＩＤカードの認証情報を読取ることで、利用者の施設に対する入退出管理を行う入退出管理システムにおいて、記憶手段であるデータベースにより、予め施設の出入口の認証端末と、交通系カード兼ＩＤカードが利用できる施設の最寄り駅の改札と、の間の施設駅間距離を記憶し、制御手段であるコントローラにより、交通系カード兼ＩＤカードに記録された改札の入退場記録及び記憶手段の記憶する施設駅間距離に基づいて利用者の移動距離及び移動時間を算出するとともに、移動距離及び移動時間から利用者の消費カロリーを求め、通知手段により、制御手段で求めた消費カロリーに関する情報を利用者に通知することで、入退出管理と併せて利用者の消費カロリーを算出し健康管理を行うことができる。
【符号の説明】
【００５７】
１    施設
２ａ  エリアＡ入室用カードリーダ
２ｂ  エリアＢ入室用カードリーダ
２ｃ  エリアＣ入室用カードリーダ
２ｄ  エリアＤ入室用カードリーダ
２ｅ  施設入室用カードリーダ
３ａ  エリアＡ退室用カードリーダ
３ｂ  エリアＢ退室用カードリーダ
３ｃ  エリアＣ退室用カードリーダ
３ｄ  エリアＤ退室用カードリーダ
３ｅ  施設退室用カードリーダ
４    コントローラ
５    データベース
６ａ  駅Ａの改札
６ｂ  駅Ｂの改札
６ｃ  駅Ｃの改札
【図１】
2011039631.tif 000003
【図２】
2011039631.tif 000004
【図３】
2011039631.tif 000005